(57)【要約】【課題】本発明は、室内で飼われている犬あるいは猫等のペット動物の排泄物を処理するために床等に敷かれるペット用吸収シートに関するものである。【解決手段】本発明のペット用吸収シートは、下から液非透過性裏面シート、ティッシュペーパー、紙繊維（パルプ）、吸水性高分子ポリマー、ティッシュペーパー、エアースルー不織布の順に積層されている。前記液非透過性裏面シートは、たとえば、ポリエチレンシートからなり、ペットの尿等の排泄物がしみ出ない材質からなる。ティッシュペーパー、紙繊維（パルプ）、吸水性高分子ポリマー、ティッシュペーパーの順に積層されている吸水性部材は、紙の繊維および吸水性高分子ポリマーの間に尿等の排泄物を貯えることができる。前記エアースルー不織布は、その両側端部において、前記液非透過性裏面シートおよび吸水性部材の両側端部から食み出す食み出し部を有する。【選択図】図１
2008043243.tif 000002
【特許請求の範囲】
【請求項１】
液非透過性裏面シートと、
両側端部が前記液非透過性裏面シートの両側端部から食み出した食み出し部を備えたエアースルー不織布と、
前記液非透過性裏面シートと前記エアースルー不織布との間に挟持され、紙繊維および吸水性高分子ポリマーの上下をティッシュペーパーで挟んだ吸水性部材と、
からなることを特徴とするペット用吸収シート。
【発明の詳細な説明】
【技術分野】
【０００１】
本発明は、室内で飼われている犬あるいは猫等のペット用動物の排泄物を処理するために床等に敷かれるペット用吸収シートに関するものである。
【背景技術】
【０００２】
たとえば、特開２００１−３２７２２５号公報に記載されているペット用吸収シートは、液体を吸収する親水性のフラップを吸収体の中央に向かって開放できるようになっている。また、特開２００５−１９８５９８号公報に記載されているペット用吸収シートは、多数の液透過孔が形成された樹脂フィルムで形成された表面シートの下に、高吸収性材料である粉砕パルプ層が設けられている。
【特許文献１】特開２００１−３２７２２５号公報
【特許文献２】特開２００５−１９８５９８号公報
【発明の開示】
【発明が解決しようとする課題】
【０００３】
前記引用文献１および引用文献２に記載された発明は、犬あるいは猫が前記ペット用吸収シートの中央部で排泄することを前提にしている。しかし、犬あるいは猫等は、前記ペット用吸収シートの中央で尿等を行うことが少ない。犬あるいは猫等は、後ろ向きになって前記ペット用吸収シートの端部近傍に尿等を排泄することが多い。このような場合、前記排泄物は、前記ペット用吸収シートの側端部から、床等に溢れるという問題があった。
【０００４】
以上のような課題を解決するために、本発明は、犬あるいは猫等が前記ペット用吸収シートの側端部近傍で排泄を行っても、尿等が床に漏れないようなペット用吸収シートを提供することを目的とする。
【課題を解決するための手段】
【０００５】
本発明のペット用吸収シートは、液非透過性裏面シートと、両側端部が前記液非透過性裏面シートの両側端部から食み出した食み出し部を備えたエアースルー不織布と、前記液非透過性裏面シートと前記エアースルー不織布との間に挟持され、紙繊維および吸水性高分子ポリマーの上下をティッシュペーパーで挟んだ吸水性部材とからなることを特徴とする。
【発明の効果】
【０００６】
本発明によれば、犬あるいは猫等の排泄がペット用吸収シートの端部において行われても、床を汚さないように、前記ペット用吸収シートの最上部に設けられたエアースルー不織布の側端部を吸水部材から食み出す食み出し部が設けられている。前記吸水部材より食み出したエアースルー不織布は、側端部で行われた尿等が直接床等に流れ出さずに、回り込んで前記吸水部材に吸収される。
【発明を実施するための最良の形態】
【０００７】
本発明のペット用吸収シートは、下から液非透過性裏面シート、ティッシュペーパー、紙繊維（パルプ）、吸水性高分子ポリマー、ティッシュペーパー、エアースルー不織布の順に積層されている。前記液非透過性裏面シートは、たとえば、ポリエチレンシートからなり、ペットの尿等の排泄物が滲み出ない材質からなる。ティッシュペーパー、紙繊維（パルプ）、吸水性高分子ポリマー、ティッシュペーパーの順に積層されている吸水性部材は、紙の繊維および吸水性高分子ポリマーの間に尿等の排泄物を貯えることができる。前記エアースルー不織布は、空気が透過するタイプのものであり、その両側端部において、前記液非透過性裏面シートおよび吸水性部材の両側端部より大きく食み出す食み出し部を備えている。
【０００８】
前記エアースルー不織布は、前記液非透過性裏面シートおよび吸水性部材の両側端部から食み出した食み出し部を有するため、ペット用吸収シートの端部近傍でペットが尿等の排泄を行っても、前記排泄物等が前記食み出し部から裏面に伝わり、前記吸水性部材に吸収される。また、前記排泄物等は、大部分が前記吸水性部材に吸収されるため、ペット用吸収シートの近傍を汚すことが少ない。前記エアースルー不織布は、ペットがペット用吸収シートの側端部で排泄物等を行った場合であっても、食み出したエアースルー不織布の食み出し部を回り込み、前記ペット用吸収シートの外に漏れることがない。
【実施例１】
【０００９】
図１は本発明の第１実施例で、ペット用吸収シートを説明するための模式斜視図である。図２は本発明の第１実施例で、ペット用吸収シートの模式図で、図１のＡ−Ａ断面図である。図１および図２において、本発明のペット用吸収シート１１は、下から順に液非透過性裏面シート１２、吸水性部材１３、エアースルー不織布１４が積層されている。前記吸水性部材１３は、たとえば、下から順にティッシュペーパー１３１、紙繊維（パルプ）１３２、吸水性高分子ポリマー１３３、ティッシュペーパー（カラー紙）１３４が積層されている。なお、前記ティッシュペーパー１３１は、前記紙繊維（パルプ）１３２および吸水性高分子ポリマー１３３の側部を図２に示されているように、抱合するようにすることができる。
【００１０】
前記液非透過性裏面シート１２は、たとえば、ポリエチレンシートからなり、ペットの尿等の排泄物が外部に滲み出ない材質であれば、特に限定されない。前記ティッシュペーパー１３１、紙繊維（パルプ）１３２、吸水性高分子ポリマー１３３、ティッシュペーパー（カラー紙）１３４の順に積層されている吸水性部材１３は、親水性物質からなり、この部分に多くの尿等の排泄物を貯えることができる。また、前記ティッシュペーパー（カラー紙）１３４は、たとえば、薄いブルーがかったカラー紙が使用される。前記エアースルー不織布１４は、その両側端部において、前記液非透過性裏面シート１２および吸水性部材１３の両側端部より大きく食み出した食み出し部１４１、１４２が設けられている。
【００１１】
前記ペット用吸収シート１１は、たとえば、長さが約４５０ｍｍ、幅が約３００ｍｍである。前記ペット用吸収シート１１の内部に入る前記吸水部材１３は、長さが約４００ｍｍ、幅が約２６０ｍｍである。前記エアースルー不織布１４は、幅方向に好ましくは５ｍｍから１０ｍｍ、あるいは１０ｍｍを越えた食み出す食み出し部１４１、１４２が設けられている。また、前記ペット用吸収シート１１は、側端部における前記食み出し部を除いた周囲が、たとえば、ホットメルトあるいは接着剤等によって接着されるシール部１５が形成されている。前記ペット用吸収シート１１の各部材は、長さ方向に供給され、接着された後、前記長さに切断される。
【００１２】
また、前記ペット用吸収シート１１は、縦長に作製されているが、横長にすることもできる。たとえば、前記ペット用吸収シート１１は、長さが約４３０ｍｍ、幅が約６５０ｍｍで、前記どうように、幅方向に好ましくは５ｍｍから１０ｍｍ、あるいは１０ｍｍを超えた食み出す食み出し部１４１、１４２が設けられている。本発明のペット用吸収シート１１は、ペットに合わせて、大きさ、あるいは、縦長あるいは横長を任意に選択することができる。
【００１３】
前記エアースルー不織布１４は、前記液非透過性裏面シート１２および吸水性部材１３の両側端部より大きく、食み出した食み出し部１４１、１４２が設けらられているため、ペット用吸収シート１１の端部近傍でペットが尿等の排泄を行っても、前記排泄物等が前記食み出部１４１、１４２から裏面に伝わり、前記吸水性部材１３に吸収される。また、前記排泄物等は、大部分が前記吸水性部材１３に吸収されるため、ペット用吸収シート１１の近傍を汚すことが少ない。
【００１４】
本出願人は、本発明のペット用吸収シート（食み出し部を有するもの）と、従来のペット用吸収シート（食み出し部のないもの）との同等品の保水量を比較した。前記ペット用吸収シートの同等品において、５０ｃｃの生理食塩水がエアースルー不織布の食み出している部分の近傍に滴下された。５分後の保水量は、本発明が４８．９ｃｃであり、従来品が３７．６ｃｃであった。
【実施例２】
【００１５】
図３は本発明の第２実施例で、ペット用吸収シートを説明するための模式斜視図である。図４は本発明の第２実施例で、ペット用吸収シートの模式図で、図３のＢ−Ｂ断面図である。図３および図４において、前記吸水部材１３は、中央部より、周囲を厚くするために、もう一枚のティッシュペーパー１６がストライプ状に設けられている点で、第１実施例と異なっている。前記周囲を厚くした理由は、ペットが中央部より、端部に多く排泄を行うからである。また、前記エアースルー不織布１４は、両側端部における食み出し部１４１、１４２の折り曲げ方たを上方、あるいは山型にして置くことにより、ペットがペット用吸収シート１１の側端部で排泄物等を行った場合であっても、前記ペット用吸収シート１１の外に漏れることが少なくなる。
【００１６】
以上、本実施例を詳述したが、本発明は、前記本実施例に限定されるものではない。そして、本発明は、特許請求の範囲に記載された本発明を逸脱することがなければ、種々の設計変更を行うことが可能である。本発明の液非透過性裏面シート、ティッシュペーパー、紙繊維（パルプ）、吸水性高分子ポリマー、エアースルー不織布の材質は、本発明の趣旨を逸脱しない範囲で公知または周知のものに変更することができる。また、前記ペット用吸収シートの形状は、特許請求の範囲に記載された本発明を逸脱することがなければ、使用し易い形に変形することができる。
【図面の簡単な説明】
【００１７】
【図１】本発明の第１実施例で、ペット用吸収シートを説明するための模式斜視図である。（実施例１）
【図２】本発明の第１実施例で、ペット用吸収シートの模式図で、図１のＡ−Ａ断面図である。
【図３】本発明の第２実施例で、ペット用吸収シートを説明するための模式斜視図である。（実施例２）
【図４】本発明の第２実施例で、ペット用吸収シートの模式図で、図３のＢ−Ｂ断面図である。
【符号の説明】
【００１８】
１１・・・ペット用吸収シート
１２・・・液非透過性裏面シート
１３・・・吸水性部材
１３１・・・ティッシュペーパー
１３２・・・紙繊維（パルプ）
１３３・・・吸水性高分子ポリマー
１３４・・・ティッシュペーパー（カラー紙）
１４・・・エアースルー不織布
１４１・・・食み出し部
１４２・・・食み出し部
１５・・・シール部
１６・・・ティッシュペーパー
【図１】
2008043243.tif 000003
【図２】
2008043243.tif 000004
【図３】
2008043243.tif 000005
【図４】
2008043243.tif 000006